(57)【要約】【課題】  コンパレータを設けることなく、かつ、マイコンを間欠動作させることによる無駄な電力消費を生じさせることなく、マイコンが低消費電力モードを有する入力装置を提供すること。【解決手段】  入力装置は、並列接続された複数のキースイッチを有する入力手段と、入力手段の一方端が接続されるキー入力端子、および入力手段の他方端が接続される割り込み端子を有する制御手段とを備える。制御手段は、キースイッチがオン状態とされた場合に、入力手段の他方端から割り込み端子に割り込み信号が入力されることにより、低消費電力モードから通常モードに移行する。そして、制御手段は、入力手段の一方端からキー入力端子に与えられる電圧値に基づいてオン状態とされたスイッチを判断する。従って、コンパレータを設けることなく、低消費電力モードを有することができる。【選択図】図１
2005266843.tif 000002
【特許請求の範囲】
【請求項１】
複数のキースイッチを有する入力手段と；
該入力手段の一方端が接続されるキー入力端子、および該入力手段の他方端が接続される割り込み端子を有し、
該キースイッチがオン状態とされた場合に、該入力手段の他方端から該割り込み端子に割り込み信号が入力されることにより、低消費電力モードから通常モードに移行し、かつ、該入力手段の一方端から該キー入力端子に与えられる電圧値に基づいてオン状態とされたキースイッチを判断する制御手段と；
を備える、入力装置。
【請求項２】
前記一方端が、前記キースイッチの全てがオフ状態のとき所定電圧となり、該キースイッチがオン状態のとき該所定電圧未満の電圧となる端であり、
前記他方端が、該キースイッチの全てがオフ状態のとき該所定電圧となり、該キースイッチがオン状態のとき前記割り込み信号であるローレベルの電圧となる端である、請求項１に記載の入力装置。
【請求項３】
前記入力手段が、抵抗素子と前記キースイッチとを含む電圧決定回路を複数直列に有し、
前記一方端が、該複数の電圧決定回路のうち、外部電源に直接に接続された第１の電圧決定回路が含む、該抵抗素子と該キースイッチとの接続端であり、
前記他方端が、該第１の電圧決定回路以外の電圧決定回路が含む、該抵抗素子と該キースイッチとの接続端である、請求項１に記載の入力装置。
【請求項４】
前記他方端が、最後段に接続されている電圧決定回路が含む、前記抵抗素子と前記キースイッチとの接続端である、請求項３に記載の入力装置。
【請求項５】
前記割り込み端子のインピーダンスが、前記入力手段が有する抵抗素子の合成インピーダンスよりも大きく設定されている、請求項３または４に記載の入力装置。
【請求項６】
前記制御手段が、オン状態とされたキースイッチがモード非移行キースイッチである場合、低消費電力モードから通常モードに移行したあと、該キースイッチに対応する動作を実行することなく、通常モードから低消費電力モードに移行する、請求項１〜５のいずれかに記載の入力装置。
【請求項７】
前記入力手段が複数並列に設けられており、
該複数の入力手段の各一方端が、前記制御手段の対応するキー入力端子にそれぞれ接続され、
該複数の入力手段の各他方端が、ＡＮＤ回路の入力端子に接続され、
該ＡＮＤ回路の出力端子が前記割り込み端子に接続されている、請求項１〜６のいずれかに記載の入力装置。
【発明の詳細な説明】
【技術分野】
【０００１】
本発明は、入力装置に関し、詳細にはスタンバイ状態においてマイコンが動作を停止する低消費電力モードを有する入力装置に関する。
【背景技術】
【０００２】
ＡＶ機器等の電子機器は、電源オフ時においてもユーザのキー操作またはリモコン操作に応じて電源をオンできるように、マイクロコンピュータ（以下、単にマイコンとする）およびその周辺回路のみに電源を供給する状態（すなわち、スタンバイ状態）を有している。しかし、最近はそのスタンバイ状態においても、さらなる省電力化が要求され、マイコンには、マイコンが実行する処理がない場合に、マイコンの動作自体も停止する低消費電力モードが設けられている。そして、ユーザからのキー操作があった場合に、マイコンの割り込み端子に割り込み信号を入力し、低消費電力モードを解除するようにしている（特許文献１および２）。なお、特許文献１では、ＯＲ回路および各キースイッチに対応して汎用入力端子を設ける必要があり回路構成が複雑となり、特許文献２では、キーマトリクスの各キーを繰り返しスキャンして、キーマトリクスの有効キー入力を検出しているが、スキャン信号がノイズの原因となるので、特にＡＶ機器においては実用的ではない。
【０００３】
一方、１つのキー入力端子ａのみにより、並列接続された複数のキースイッチのいずれがオンされたかをマイコンが判断できる回路として、図５に示す回路５０１が提案されている。この回路５０１は、例えば、キースイッチＳ２がオンされたとき、Ｖ１×Ｒ２／（Ｒ１＋Ｒ２）の電圧がマイコン２のキー入力端子ａに入力される。入力された電圧はＡ／Ｄ変換され、予め定められた各キースイッチＳ１〜Ｓ５に対応する電圧値と比較され、キースイッチＳ２が押されたことがマイコン２において判断される。
【０００４】
この回路５０１において、マイコンに低消費電力モードを設ける場合には、低消費電力モードから通常モードに移行するために、コンパレータ５０５を必要とする。コンパレータ５０５の一方端にはＡ点の電圧が入力され、他方端には基準電圧が入力されており、キースイッチがオンされたとき、コンパレータが割り込み信号（ローレベルの電圧）を割り込み端子ｂに与えるようにしている。しかし、上記の回路５０１では、低消費電力モードを解除するためにコンパレータを設ける必要があるので、コストが高くなるという問題がある。この問題を解決するために、特許文献３では、スタンバイ時に内蔵のタイマー機能によってマイコンを間欠動作させ、定期的にＡ／Ｄコンバータを動作させ、オンされたキースイッチを判断する方法が提案されている。しかし、この方法では、コンパレータを使用する必要はないものの、スタンバイ時にマイコンを間欠動作させているので、スタンバイ時の消費電力を十分に低減することができないという問題がある。
【特許文献１】特開平９−１９８１６９号公報
【特許文献２】特開平７−１３６７１号公報
【特許文献３】特開２００１−１８６６５７号公報
【発明の開示】
【発明が解決しようとする課題】
【０００５】
本発明の目的は、マイコンのキー入力端子に入力される電圧値に基づいてオンされたキースイッチを判断する入力装置に関して、コンパレータを設けることなく、かつ、マイコンを間欠動作させることによる無駄な消費電力を生じさせることなく、マイコンが低消費電力モードを有する入力装置を提供することにある。
【課題を解決するための手段】
【０００６】
本発明の好ましい実施形態による入力装置は、複数のキースイッチを有する入力手段と、該入力手段の一方端が接続されるキー入力端子、および該入力手段の他方端が接続される割り込み端子を有し、該キースイッチがオン状態とされた場合に、該入力手段の他方端から該割り込み端子に割り込み信号が入力されることにより、低消費電力モードから通常モードに移行し、かつ、該入力手段の一方端から該キー入力端子に与えられる電圧値に基づいてオン状態とされたキースイッチを判断する制御手段とを備える。
【０００７】
入力手段の一方端とは異なる他方端を割り込み端子に接続することにより、コンパレータを使用することなく、制御手段を低消費電力モードから通常モードに移行することができる。入力手段の他方端からは、キースイッチがオンされたときに、割り込み信号が出力されるからである。
【０００８】
好ましい実施形態においては、上記一方端は、上記キースイッチの全てがオフ状態のとき所定電圧となり、該キースイッチがオン状態のとき該所定電圧未満の電圧となる端であり、上記他方端は、該キースイッチの全てがオフ状態のとき該所定電圧となり、該キースイッチがオン状態のとき上記割り込み信号であるローレベルの電圧となる端である。
【０００９】
キースイッチがオンされていないときは、入力手段の一方端からキー入力端子に所定電圧が与えられ、入力手段の他方端から割り込み端子に所定電圧（ハイレベル）が与えられる。従って、制御手段は、低消費電力モードを維持する。一方、キースイッチがオンされたとき、入力手段の他方端から割り込み端子に割り込み信号（ローレベル）が与えられるので、制御手段は低消費電力モードから通常モードに移行することができる。さらに、入力手段の一方端からキー入力端子に、オンされたキースイッチに対応する電圧が与えられるので、制御手段はオンされたキースッチを判断して、キースイッチに対応する動作を実行することができる。
【００１０】
好ましい実施形態においては、上記入力手段は、抵抗素子と前記キースイッチとを含む電圧決定回路を複数直列に有し、上記一方端は、該複数の電圧決定回路のうち、外部電源に直接に接続された第１の電圧決定回路が含む、該抵抗素子と該キースイッチの接続端であり、上記他方端は、該第１の電圧決定回路以外の電圧決定回路が含む、該抵抗素子と該キースイッチとの接続端である。
【００１１】
第１の電圧決定回路が有する抵抗素子とキースイッチとの接続端は、キースイッチが全てオフのとき外部電源電圧となり、キースイッチがオンされたときオンされたキースイッチに対応する電圧値となる。一方、第１の電圧決定回路以外の電圧決定回路が有する抵抗素子とキースイッチとの接続端は、キースイッチが全てオフのとき外部電源電圧（ハイレベル）となり、キースイッチがオンされたとき、ローレベルの電圧となる。従って、キースイッチがオンされることにより、制御手段は低消費電力モードから通常モードに移行できる。
【００１２】
好ましい実施形態においては、上記他方端は、最後段に接続されている電圧決定回路が含む、前記抵抗素子と前記キースイッチとの接続端である。
【００１３】
最後段の電圧決定回路が含む抵抗素子とキースイッチとの接続端を割り込み端子に接続することにより、いずれのキースイッチがオンされた場合にも、当該接続端はローレベルの電圧となる。従って、いずれのキースイッチがオンされた場合にも、制御手段を低消費電力モードから通常モードに移行することができる。
【００１４】
好ましい実施形態においては、上記割り込み端子のインピーダンスは、上記入力手段が有する抵抗素子の合成インピーダンスよりも大きく設定されている。
【００１５】
割り込み端子のインピーダンスを入力手段の合成インピーダンスより大きくすることにより、入力手段が有する抵抗素子における電圧降下をきわめて小さくできる。従って、抵抗素子による電圧降下を小さくできるので、キースイッチがオンされていないときは、キー入力端子に所定電圧が減少することなく与えられる。そのため、制御手段が、キースイッチがオンされていないときに、キースイッチがオンされたと誤認識することを防止することができる。さらに、抵抗素子における電圧降下を小さくできるので、抵抗素子での消費電力を低減することができる。
【００１６】
好ましい実施形態においては、上記制御手段は、オン状態とされたキースイッチがモード非移行キースイッチである場合、低消費電力モードから通常モードに移行したあと、該キースイッチに対応する動作を実行することなく、通常モードから低消費電力モードに移行する。
【００１７】
従って、制御手段が低消費電力モードにおいて、モード非移行キースイッチがオンされた場合には、制御手段は一旦通常モードに移行するが、その後直ぐに低消費電力モードに移行する。従って、スタンバイ時の消費電力をさらに低減することができる。
【００１８】
好ましい実施形態においては、上記入力手段は複数並列に設けられており、該複数の入力手段の各一方端が、上記制御手段の対応するキー入力端子にそれぞれ接続され、該複数の入力手段の各他方端が、ＡＮＤ回路の入力端子に接続され、該ＡＮＤ回路の出力端子が上記割り込み端子に接続されている。
【００１９】
従って、複数の入力手段が複数のキー入力端子に接続されている回路構成において、ＡＮＤ回路を使用することにより、１つの割り込み端子のみによっていずれのキースイッチがオンされたときも、制御手段を低消費電力モードから通常モードに移行させることができる。
【発明の効果】
【００２０】
本発明の入力装置は入力手段の一方端がキー入力端子に接続され、入力手段の他方端が割り込み端子に接続されている。従って、入力される電圧に基づいてオンされたキースイッチを判断する入力装置であって、コンパレータを用いることなく、かつ、マイコンを間欠動作させることなく、低消費電力モードから通常モードに移行することができる。
【発明を実施するための最良の形態】
【００２１】
以下、本発明の好ましい実施形態について、図面を参照して具体的に説明するが、本発明はこれらの実施形態には限定されない。図１は、本発明の好ましい実施形態による入力装置１を示す概略回路図である。入力装置１は、マイクロコンピュータに入力される電圧をＡ／Ｄ変換することによってオンされたキースイッチを判断する回路であり、制御手段２および入力手段３を備えている。なお、入力装置１が適用され得る機器は、ユーザのキー入力操作によって電源をオンできるように、マイコンのみに電源を供給するスタンバイ状態を有している。
【００２２】
制御手段２は、本実施形態の入力装置１が適用され得る電子機器（例えば、ＣＤプレイヤー等）の動作を制御するためのものであり、一般的にはマイクロコンピュータ（以下、単にマイコンとする）が採用され得る。マイコン２は、メモリ４（ＲＯＭおよび／またはＲＡＭ等）がバス等を介して接続されており、メモリ４内に格納されている各種プログラムを実行することにより、各種動作（例えば、ＣＤプレイヤーを再生状態にする等）を制御する。マイコン２は、その動作状態として、通常モードと低消費電力モードとを有している。通常モードは一般的にマイコン２が動作を実行可能な状態である。低消費電力モードは、機器全体がスタンバイ状態である場合において、マイコン２がその動作（例えば、クロックの発振およびクロックの供給）を停止することにより、消費電力をさらに低減させた状態である。
【００２３】
マイコン２は、キー入力端子ａおよび割り込み端子ｂを有している。キー入力端子ａは、オンされたキースイッチを判断するための電圧が入力される端子である。キー入力端子ａには、入力手段３から電圧が入力されており、キースイッチのいずれかがオンされた場合に、入力される電圧値が変化する（オンされたキースイッチに対応して所定電圧未満の電圧となる）。そして、マイコン２は、キー入力端子ａに入力される電圧をＡ／Ｄ（アナログ／デジタル）変換し、各キースイッチに対応して予め定められた電圧値と比較することによって、オンされたキースイッチを判断する。割り込み端子ｂは、低消費電力モードから通常モードに移行するための割り込み信号が入力手段３から入力される端子である。
【００２４】
入力手段３は、ユーザによるキースイッチの操作を受けて、マイコン２にその指示を与えるものである。入力手段３は、複数の電圧決定回路５ａ〜５ｅを有している。電圧決定回路の各々は、抵抗素子とキースイッチとを有し、キースイッチがオンされた場合に、後述するキー入力端子に与える電圧値を決定する。なお、キースイッチ（すなわち、電圧決定回路）の数は機器に要求される機能および動作に応じて、任意の適切な数が採用され得るが、本実施形態では５つのキースイッチＳＷ１〜ＳＷ５が設けられている。電圧決定回路５ａ（第１の電圧決定回路とする）は、抵抗素子Ｒ１およびそれに接続されたキースイッチＳＷ１を有しており、抵抗素子Ｒ１は外部電源Ｖ１に接続されている。ここでは、電圧決定回路５ａを最前段の電圧決定回路とする。電圧決定回路５ｂは、抵抗素子Ｒ２およびキースイッチＳＷ２を有し、電圧決定回路５ｃは、抵抗素子Ｒ３およびキースイッチＳＷ３を有し、電圧決定回路５ｄは、抵抗素子Ｒ４およびキースイッチＳＷ４を有し、電圧決定回路５ｅは、抵抗素子Ｒ５およびキースイッチＳＷ５を有する。ここでは、電圧決定回路５ｅを最後段の電圧決定回路とする。なお、抵抗素子Ｒ１〜Ｒ５は電源Ｖ１から直列に接続されており、各キースイッチＳＷ１〜ＳＷ５の他方端子はそれぞれ接地されている。
【００２５】
また、入力手段３は、その一方端Ａからキー入力端子ａに、オンされたキースイッチを判断するための信号を与える。すなわち、入力手段３の一方端Ａは、マイコン２のキー入力端子ａに接続されている。入力手段３の一方端Ａは、キースイッチがオンされていない（すなわち、全てのキースイッチがオフである）とき、所定電圧（電源電圧Ｖ１）となり、いずれかのキースイッチがオンされたとき、そのオンされたキースイッチに対応した所定電圧Ｖ１未満の電圧となるノードである。すなわち、入力手段３の一方端Ａは、複数のキースイッチＳＷ１〜ＳＷ５のうち電源Ｖ１に電気的に最も近い位置に設けられたキースイッチＳＷ１が接続されたノードである。さらに言い換えると、入力手段３の一方端Ａは、最前段であり、電源Ｖ１に直接に接続された第１の電圧決定回路５ａが有する抵抗素子Ｒ１とキースイッチＳＷ１との接続端である。
【００２６】
さらに、入力手段３は、キースイッチがオンされたとき、その他方端Ｂから割り込み端子ｂに、割り込み信号を与える。すなわち、入力手段３の他方端Ｂは、マイコン２の割り込み端子ｂに接続されている。割り込み信号は、一般的にはローレベル（０Ｖ）の電圧である。すなわち、割り込み端子ｂには、２値（ハイレベル（Ｖ１）およびローレベル（０Ｖ））の電圧が与えられており、マイコン２はローレベルの電圧を割り込み信号として検知する。入力手段３の他方端Ｂは、キースイッチがオンされていない（すなわち、全てのキースイッチがオフされている）とき、電源電圧Ｖ１（ハイレベル）となり、いずれかのキースイッチがオンされたとき、０Ｖ（ローレベル）となるノードである。すなわち、入力手段３の他方端Ｂは、第１の電圧決定回路５ａ以外の電圧決定回路５ｂ〜５ｅが有する抵抗素子とキースイッチとの接続端である。好ましくは、入力手段３の他方端Ｂは、複数のキースイッチＳＷ１〜ＳＷ５のうち、電源Ｖ１（すなわち一方端Ａ）から電気的に最も離れた位置に設けられたキースイッチＳＷ５が接続されているノードである（すなわち、他方端は、最後段である電圧決定回路５ｅが有する抵抗素子Ｒ５とキースイッチＳＷ５との接続端である）。この場合、どのキースイッチＳＷ１〜ＳＷ５がオンされたとしても、他方端Ｂの電圧はローレベルとなる。従って、どのキースイッチがオンされたとしても、割り込み端子ｂに割り込み信号を与えることができる。
【００２７】
本実施形態の入力装置１は、他方端Ｂが割り込み端子ｂに接続されているので、コンパレータを有することなく、低消費電力モードから通常モードに移行することができる。詳細に説明すると、キースイッチが全てオフのときは、他方端Ｂの電圧はＶ１となるので、割り込み端子ｂには電圧Ｖ１（ハイレベル）が与えられる。そのため、マイコン２は、低消費電力モードを維持する。一方、キースイッチがオンされたとき、他方端Ｂはオンされたキースイッチを介して接地されることになる。そのため、他方端Ｂの電圧は０Ｖとなり、割り込み端子ｂには割り込み信号である０Ｖの電圧（ローレベル）が与えられる。従って、マイコン２の低消費電力モード時に、キースイッチがオンされた場合には、割り込み端子ｂに割り込み信号が入力され、通常モードに移行することができる。なお、入力手段３の他方端Ｂが、キースイッチＳＷ５以外のキースイッチ（ＳＷ２〜ＳＷ４）が接続されるノードである場合が適用され得る実施形態およびその条件は後述する。
【００２８】
好ましくは、割り込み端子ｂにおけるインピーダンス（抵抗値）が、入力手段３が有する抵抗素子Ｒ１〜Ｒ５の合成インピーダンス（合成抵抗Ｒ１＋Ｒ２＋Ｒ３＋Ｒ４＋Ｒ５）よりも大きくなるように設定されている。割り込み端子ｂにおけるインピーダンスとは、割り込み端子ｂに接続されマイコン２内部に設けられたトランジスタ等の素子が有するインピーダンスである。例えば、割り込み端子ｂのインピーダンスは、入力手段３のインピーダンスの約１０〜５０倍である。例えば、割り込み端子のインピーダンスは約２００〜１０００キロオームであり、入力手段３の合成インピーダンスは約２０〜５０キロオームである。割り込み端子ｂのインピーダンスが入力手段３の合成インピーダンスより小さいと、全てのキースイッチがオフで、電源Ｖ１から抵抗Ｒ１〜Ｒ５を介して割り込み端子ｂに電流が流れる際に、抵抗Ｒ１〜Ｒ５における電圧降下が大きくなる。抵抗Ｒ１〜Ｒ５での電圧降下によって、キースイッチが押されていないにもかかわらずＶ１未満の電圧がキー入力端子ａに入力され、マイコン２がキースイッチが押されたと誤認識する可能性がある。さらに、抵抗Ｒ１〜Ｒ５の電圧降下が大きくなると、抵抗Ｒ１〜Ｒ５における消費電力が大きくなり、無駄な電力が消費されてしまう。しかし、割り込み端子ｂのインピーダンスを入力手段３の合成インピーダンスより大きく設定することにより、抵抗Ｒ１〜Ｒ５での電圧降下をきわめて小さく、無視できる程度の値にすることができる。従って、キースイッチがオンされていない場合は、電圧Ｖ１がそのままキー入力端子ａに入力されるので、マイコンの誤認識を防止することができる。さらに、抵抗Ｒ１〜Ｒ５における消費電力を小さくすることができる。
【００２９】
次に、入力装置１におけるマイコン２の動作を、図２のフローチャートを参照して説明する。まず、マイコン２が通常モードのとき、マイコン２は、ステップＳ１において、Ａ／Ｄコンバータの動作を開始する。すなわち、キー入力端子ａに電圧が入力されると、その入力された電圧をアナログ値からデジタル値に変換し、その値を読み取る。ステップＳ２およびＳ３において、読み取った電圧値からオンされたキースイッチ（もしくは、どのキースイッチもオンされていない旨）を判断する。例えば、キースイッチＳＷ３がオンされた場合には、キー入力端子ａには、Ｖ１×（Ｒ２＋Ｒ３）／（Ｒ１＋Ｒ２＋Ｒ３）の電圧が入力されるので、この電圧のデジタル値に基づいてキースイッチＳＷ３がオンされたことを判断する（Ｓ３：ＹＥＳ）。この場合、マイコン２は、キースイッチＳＷ３に基づいた動作を実行し、リターンする。
【００３０】
一方、マイコン２は、キー入力端子ａに電圧Ｖ１が入力され、電圧Ｖ１を読み取った場合には、どのキースイッチもオンされていないと判断する（Ｓ３：ＮＯ）。この場合、ステップＳ４において、機器がスタンバイ状態であるか否かを判断する。スタンバイ状態であれば、ステップＳ５において、マイコン２は割り込み端子ｂを有効にした上で（Ｓ５）、低消費電力モードに移行する（Ｓ６）。そして、マイコン２は、いずれかのキースイッチがオンされ、割り込み端子ｂに割り込み信号が入力されるまで、低消費電力モード（Ｓ６）の状態を維持する。
【００３１】
次に、低消費電力モードにおいて、いずれかのキースイッチがオンされ、割り込み端子ｂに割り込み信号が入力されると、ステップＳ７において、マイコン２は低消費電力モードから通常モードに移行し、割り込み端子ｂを無効にして、ステップＳ１に戻る。以後は、Ｓ１〜Ｓ３を経由して、マイコン２はオンされたキースイッチに対応する動作を実行する。以上のようにして、スタンバイ状態において、キースイッチがオンされなければ、マイコン２は低消費電力モードに移行し、その後キースイッチがオンされれば通常モードに移行する。
【００３２】
次に、本発明の別の好ましい実施形態について説明する。本実施形態は、低消費電力モード時に、ユーザによって電源をオンする以外のキースイッチが押された場合に、マイコン２は一旦通常モードに移行するが、その後電源をオンすることなく、かつ、オンされたキースイッチに対応する動作を実行することなく、低消費電力モードに移行することにより、消費電力をさらに低減するものである。すなわち、入力手段３は、モード移行キースイッチ（例えば、図１のＳＷ１〜ＳＷ４）およびモード非移行キースイッチ（例えば、図１のＳＷ５）の２種類のキースイッチを有している。モード移行キースイッチは、当該キースイッチがオンされた場合に、マイコン２が低消費電力モードから通常モードに移行し、対応する動作を実行するキースイッチである。モード移行キースイッチは、例えば、電源（Power）、およびスタンバイ（Stand-by/ON）等のキースイッチである。モード非移行キースイッチは、当該キースイッチがオンされた場合に、マイコン２が一旦通常モードから低消費電力モードに移行するが、当該キースイッチに対応する動作を実行することなく、低消費電力モードに移行するキースイッチである。モード非移行キースイッチは、電源のオン／オフを制御しないキースイッチであり、例えば、再生（Play）および停止（Stop）等のキースイッチである。なお、回路構成自体は、図１の入力装置１と同じであるので、その説明を省略する。
【００３３】
本実施形態の動作を、図３を参照して説明する。図３は、本実施形態のマイコン２の動作を示すフローチャートである。図２のフローチャートと同一部分には同一のステップ番号を付し、その説明を省略する。低消費電力モードにおいて、あるキースイッチがオンされた場合、ステップＳ７において通常モードに移行し、ステップＳ１およびＳ２においてオンされたキースイッチを判断する。マイコン２は、ステップＳ３においてキースイッチがオンされた旨を判断したあと、ステップＳ８において、機器がスタンバイ状態であるか否かを判断する。スタンバイ状態であれば（Ｓ８：ＹＥＳ）、ステップＳ９において、オンされたキースイッチがモード移行キースイッチであるか否かを判断する。オンされたキースイッチがモード移行キースイッチでない（例えば、停止キースイッチである）場合（Ｓ９：ＮＯ）、ステップＳ５およびＳ６において、マイコン２は再び通常モードから低消費電力モードに移行する。一方、ステップＳ８において、マイコン２が、機器がスタンバイ状態でないと判断した場合、機器が電源オンの状態でキースイッチがオンされたのであるから、マイコン２はオンされたキースイッチに対応する動作を実行する。また、ステップＳ９において、オンされたキースイッチがモード移行キースイッチであると判断した場合、マイコン２はモード移行キースイッチに対応する動作（例えば、スタンバイからオンへの移行）を実行する。
【００３４】
以上のように、本実施形態では、低消費電力モードにおいてユーザが例えば停止キー等のモード非移行キースイッチを押した場合に、マイコン２は一旦通常モードに移行するが、その後直ぐに低消費電力モードに移行することにより、消費電力をさらに低減することができる。なお、本実施形態では、例えば、図１を参照すると、ＳＷ１〜ＳＷ４がモード移行キースイッチ、ＳＷ５がモード非移行キースイッチである場合、入力手段３の他方端ＢをキースイッチＳＷ４が接続されているノードとすることができる（すなわち、抵抗素子Ｒ４とキースイッチＳＷ４との接続端を割り込み端子ｂに接続する）。この場合、キースイッチＳＷ１〜ＳＷ４がオンされたとき割り込み端子ｂに割り込み信号であるローレベルの電圧を入力することができる。一方、キースイッチＳＷ５がオンされたときは、割り込み信号を入力できない。しかしながら、本実施形態では、キースイッチＳＷ５は、モード非移行キースイッチであるので割り込み信号を入力できなくても問題にはならない。なお、抵抗素子Ｒ５の抵抗値を他の抵抗素子Ｒ１〜Ｒ４に比べて非常に大きく設定することにより、キースイッチＳＷ５がオンされた場合、割り込み端子ｂには電圧Ｖ１に略等しい電圧（すなわちハイレベル）を入力することができる。そのため、抵抗素子の値を適切に調整することにより、マイコン２の動作が異常になることはない。
【００３５】
次に、本発明のさらに別の好ましい実施形態の入力装置４０１について説明する。図４は、入力装置４０１を示す概略回路図である。入力装置４０１は、入力手段を複数（本例では２つ）並列に有している。入力手段３１および３２の一方端Ａ１およびＡ２はそれぞれ、対応するキー入力端子ａ１およびａ２に接続されている。入力手段３１および３２の他方端Ｂ１およびＢ２は、それぞれＡＮＤ回路４０４の入力端子に接続され、ＡＮＤ回路４０４の出力端子は割り込み端子ｂに接続されている。入力手段３１および３２の構成は、図１の回路図の入力手段３と同じであるので、その説明を省略する。
【００３６】
入力装置４０１は、低消費電力モードにおいて、例えばキースイッチＳＷ８がオンされた場合に、入力手段３２の他方端Ｂ２がローレベルになる。ＡＮＤ回路４０４は、複数入力のうち１つの入力でもローレベルの入力があればローレベルを出力するので、ＡＮＤ回路４０４から割り込み端子ｂに割り込み信号であるローレベルの電圧が与えられ、マイコン２は低消費電力モードから通常モードに移行する。入力手段３１のスイッチＳＷ１〜ＳＷ５のいずれかがオンされた場合にも、同様にして、ＡＮＤ回路４０４から割り込み端子ｂにローレベルの電圧が与えられる。一方、全てのキースイッチがオフのときは、他方端Ｂ１およびＢ２からＡＮＤ回路４０４には、共にハイレベルの電圧が入力されるので、ＡＮＤ回路４０４から割り込み端子ｂにはハイレベルの電圧が与えられ、マイコン２は低消費電力モードを維持する。以上のように、入力手段が複数並列接続された回路構成であっても、ＡＮＤ回路を１つ設けることにより、共通の割り込み端子ｂを使用して、低消費電力モードから通常モードに移行することができる。
【００３７】
以上、本発明の好ましい実施形態について説明したが、本発明はこれらの実施形態には限定されない。例えば、入力手段３と割り込み端子ｂとの間に切換スイッチを設け、通常モード時には切換スイッチを電源に接続することにより入力手段３の他方端に一定電圧を与え、低消費電力モード時には切換スイッチを割り込み端子に接続するようにしてもよい。これにより、通常モードにおいて、電源Ｖ１から抵抗Ｒ１〜Ｒ５を介して割り込み端子ｂに電流が流れることがなく、キー入力端子ａに入力され電圧が誤認識されることを防止できる。
【産業上の利用可能性】
【００３８】
本発明は、例えば、スタンバイ時の省電力化が望まれている電子機器、特に、ＴＶ、オーディオコンポ、ＡＶレシーバおよびＤＶＤプレーヤ／レコーダ等のＡＶ機器、あるいはパーソナルコンピュータ等に好適に採用され得る。
【図面の簡単な説明】
【００３９】
【図１】本発明の好ましい実施形態によるキー入力装置を示す概略回路図である。
【図２】本発明の好ましい実施形態によるキー入力装置の動作を説明するフローチャートである。
【図３】本発明の好ましい実施形態によるキー入力装置の動作を説明するフローチャートである。
【図４】本発明の別の好ましい実施形態によるキー入力装置を示す概略回路図である。
【図５】従来のキー入力装置を示す回路図である。
【符号の説明】
【００４０】
１    キー入力装置
２    制御手段
３    入力手段
【図１】
2005266843.tif 000003
【図２】
2005266843.tif 000004
【図３】
2005266843.tif 000005
【図４】
2005266843.tif 000006
【図５】
2005266843.tif 000007